(57)【要約】【課題】表示パネルに均一な光を提供するバックライトユニットを含む表示装置を提供する。【解決手段】本発明による表示装置は、画像が表示される表示領域を有する表示パネルと、前記表示領域の下部に第１方向に配列された複数の光源ブロックとを有し、前記光源ブロックは、前記第１方向とは直交する第２方向に第１間隔を有して配列された複数の光源を含む第１光源ブロックと、前記第２方向に第２間隔を有して配列された複数の光源を含む第２光源ブロックとを含み、前記第１間隔は、前記第１光源ブロックの中心部から端部に行くほど増加、又は減少し、前記第２間隔は、前記第２光源ブロックの中心部から端部に行くほど増加する。【選択図】      図１
2014106528.tif 000002
【特許請求の範囲】
【請求項１】
画像が表示される表示領域を有する表示パネルと、
前記表示領域の下部に第１方向に配列された複数の光源ブロックとを有し、
前記光源ブロックは、前記第１方向とは直交する第２方向に第１間隔を有して配列された複数の光源を含む第１光源ブロックと、
前記第２方向に第２間隔を有して配列された複数の光源を含む第２光源ブロックとを含み、
前記第１間隔は、前記第１光源ブロックの中心部から端部に行くほど増加、又は減少し、前記第２間隔は、前記第２光源ブロックの中心部から端部に行くほど増加することを特徴とする表示装置。
【請求項２】
前記第１光源ブロックと前記第２光源ブロックの少なくとも１つは、複数で提供され、
前記第１光源ブロックと前記第２光源ブロックは、前記第１方向に交互に配置されることを特徴とする請求項１に記載の表示装置。
【請求項３】
前記第１光源ブロックは、前記第２光源ブロックより１つ多い数量で提供され、前記第１光源ブロックは、奇数番目の列に配置されることを特徴とする請求項２に記載の表示装置。
【請求項４】
隣接した前記第１光源ブロックと前記第２光源ブロックにおいて、
前記第１光源ブロックの光源と前記第２光源ブロックの光源は、前記第１方向から見た時、互いに重畳しないことを特徴とする請求項２に記載の表示装置。
【請求項５】
前記第１間隔の増加比、又は減少比、及び前記第２間隔の増加比は一定でないことを特徴とする請求項４に記載の表示装置。
【請求項６】
隣接した前記第１光源ブロックと前記第２光源ブロックとの間の前記第１方向の間隔はそれぞれ異なることを特徴とする請求項２に記載の表示装置。
【請求項７】
前記隣接した前記第１光源ブロックと前記第２光源ブロックとの間の第１方向の間隔は、前記第１光源ブロックと前記第２光源ブロックが前記表示領域の中心に近接するほど大きくなることを特徴とする請求項６に記載の表示装置。
【請求項８】
前記光源ブロックの下部に提供される反射シートをさらに有することを特徴とする請求項２に記載の表示装置。
【請求項９】
前記反射シートは、前記表示パネルの一面と平行な底部と、
前記底部から傾斜して上方に折り曲げられた側面部とを含むことを特徴とする請求項８に記載の表示装置。
【請求項１０】
前記表示領域は一対の長辺と一対の短辺とを有する長方形形状であり、
前記側面部は、前記長辺に対応する長側面部と、前記短辺に対応する短側面部とを有し、前記長側面部の傾斜角と前記短側面部の傾斜角は互いに異なることを特徴とする請求項９に記載の表示装置。
【発明の詳細な説明】
【技術分野】
【０００１】
本発明は、表示装置に関し、さらに詳細には、表示の品質を向上することができる表示装置に関する。
【背景技術】
【０００２】
液晶表示装置は、画像を表示する表示パネルを含み、表示パネルは、自発発光しなくて、別途の光源が必要である。
これにより、液晶表示装置は、表示パネルと共にバックライトユニットをさらに含む。
【０００３】
バックライトユニットは、光源の位置によってエッジ型バックライトユニットと直下型バックライトユニットに分けられる。
直下型バックライトユニットは、光源が表示パネルの後方に備えられており、エッジ型バックライトユニットは、光源が表示パネルの後部側方に備えられている。
【０００４】
光源は、通常線光源又は面光源の形で備えられるが、光源から出射した光が、表示パネルに不均一に提供されるという問題が生じうる。
【先行技術文献】
【特許文献】
【０００５】
【特許文献１】韓国公開特許第１０−２０１０−００９８４６３号公報
【発明の概要】
【発明が解決しようとする課題】
【０００６】
本発明は上記従来の表示装置における問題点に鑑みてなされたものであって、本発明の目的は、表示パネルに均一な光を提供するバックライトユニットを含む表示装置を提供することにある。
【課題を解決するための手段】
【０００７】
上記目的を達成するためになされた本発明による表示装置は、画像が表示される表示領域を有する表示パネルと、前記表示領域の下部に第１方向に配列された複数の光源ブロックとを有し、前記光源ブロックは、前記第１方向とは直交する第２方向に第１間隔を有して配列された複数の光源を含む第１光源ブロックと、前記第２方向に第２間隔を有して配列された複数の光源を含む第２光源ブロックとを含み、前記第１間隔は、前記第１光源ブロックの中心部から端部に行くほど増加、又は減少し、前記第２間隔は、前記第２光源ブロックの中心部から端部に行くほど増加することを特徴とする。
【０００８】
前記第１光源ブロックと前記第２光源ブロックの少なくとも１つは、複数で提供され、前記第１光源ブロックと前記第２光源ブロックは、前記第１方向に交互に配置されることが好ましい。
前記第１光源ブロックは、前記第２光源ブロックより１つ多い数量で提供され、前記第１光源ブロックは、奇数番目の列に配置されることが好ましい。
隣接した前記第１光源ブロックと前記第２光源ブロックにおいて、前記第１光源ブロックの光源と前記第２光源ブロックの光源は、前記第１方向から見た時、互いに重畳しないことが好ましい。
前記第１間隔の増加比、又は減少比、及び前記第２間隔の増加比は一定でないことが好ましい。
隣接した前記第１光源ブロックと前記第２光源ブロックとの間の前記第１方向の間隔はそれぞれ異なることが好ましい。
前記隣接した前記第１光源ブロックと前記第２光源ブロックとの間の第１方向の間隔は、前記第１光源ブロックと前記第２光源ブロックが前記表示領域の中心に近接するほど大きくなることが好ましい。
前記光源ブロックの下部に提供される反射シートをさらに有することが好ましい。
前記反射シートは、前記表示パネルの一面と平行な底部と、前記底部から傾斜して上方に折り曲げられた側面部とを含むことが好ましい。
前記表示領域は一対の長辺と一対の短辺とを有する長方形形状であり、前記側面部は、前記長辺に対応する長側面部と、前記短辺に対応する短側面部とを有し、前記長側面部の傾斜角と前記短側面部の傾斜角は互いに異なることが好ましい。
【発明の効果】
【０００９】
本発明に係る表示装置によれば、光源から表示パネルに進行する光の均一度を向上させる。従って、表示装置は、表示パネルに提供される光の均一度が向上するので、表示装置の表示品質が向上するという効果がある。
【図面の簡単な説明】
【００１０】
【図１】本発明の一実施形態による表示装置を示す分解斜視図である。
【図２】図１のＩ−Ｉ’線に沿って切断した断面図である。
【図３】本発明の一実施形態による表示装置における光源部と反射シートとを示す平面図である。
【図４Ａ】一般的な表示装置での輝度シミュレーショングラフである。
【図４Ｂ】一般的な表示装置での輝度シミュレーショングラフである。
【図４Ｃ】本発明の一実施形態による表示装置における輝度シミュレーショングラフである。
【図５Ａ】一般的な表示装置におけるバックライトユニットの外観を撮影した写真である。
【図５Ｂ】本発明の一実施形態による表示装置におけるバックライトユニットの外観を撮影した写真である。
【図６】本発明の一実施形態による表示装置における光源部と反射シートとを示した平面図である
【発明を実施するための形態】
【００１１】
次に、本発明に係る表示装置を実施するための形態の具体例を図面を参照しながら説明する。
【００１２】
本発明は、様々な変更が可能であり、様々な形態を持ち、特定の実施形態を図面に例示して本文に詳細に説明する。しかし、これは本発明を特定の開示形態に限定するものではなく、本発明の思想及び技術範囲に含まれるすべての変更、均等物乃至代替物を含むものと理解すべきである。
本明細書の実施形態に対して参照の図面は、図示した形態に限定されず、請求項によって定義された本発明の原理及び範囲内にあるすべての変形、等価物、及び代替を含む。
図面では、多層及び領域を明確に表現するために、一部の構成要素のスケールを誇張、又は縮小して示した。明細書の全体にわたって同一の参照符号は同一の構成要素を示す。
また、説明の便宜のために、表示パネルを基準として画像が表示される方向を‘上部’  又は‘前方’、その逆方向を‘下部’  又は‘後方’と説明する。
【００１３】
図１は、本発明の一実施形態による表示装置を示す分解斜視図であり、図２は、図１のＩ−Ｉ’線に沿って切断した断面図である。
図１及び図２を参照すると、表示装置は、表示パネルＰＮＬと、バックライトユニットＢＬＵと、トップシャーシＴＣとを含む。
ここで、説明の便宜のために、表示装置で画像が提供される方向を上部方向に、上部方向の反対方向を下部方向として説明するが、上部方向、又は下部方向は相対的な概念として、他の方向に変換することができる。
【００１４】
表示パネルＰＮＬは画像を表示する。
表示パネルＰＮＬは、受光型表示パネルとして、液晶表示パネル（ｌｉｑｕｉｄ  ｃｒｙｓｔａｌ  ｄｉｓｐｌａｙ  ｐａｎｅｌ）、電気湿潤表示パネル（ｅｌｅｃｔｒｏｗｅｔｔｉｎｇ  ｄｉｓｐｌａｙ  ｐａｎｅｌ）、電気泳動表示パネル（ｅｌｅｃｔｒｏｐｈｏｒｅｔｉｃ  ｄｉｓｐｌａｙ  ｐａｎｅｌ）、ＭＥＭＳ表示パネル（ｍｉｃｒｏｅｌｅｃｔｒｏｍｅｃｈａｎｉｃａｌ  ｓｙｓｔｅｍ  ｄｉｓｐｌａｙ  ｐａｎｅｌ）などを含むことができる。本実施形態では、液晶表示パネルを例として説明する。
【００１５】
表示パネルＰＮＬは、互いに平行な２対の辺を有する長方形の板状に備えることができる。
一実施形態では、表示パネルＰＮＬは、一対の長辺と一対の短辺とを有する長方形である。表示パネルＰＮＬは、ベース基板ＢＳと、ベース基板ＢＳに対向する対向基板ＣＳと、ベース基板ＢＳと対向基板ＣＳとの間に形成された液晶層（図示しない）とを含む。
【００１６】
表示パネルＰＮＬは、平面上で見る時に、画像が表示される表示領域ＤＡと、表示領域ＤＡを囲み、画像が表示されない非表示領域ＮＤＡからなる。非表示領域ＮＤＡは、トップシャーシＴＣによって覆われている。
【００１７】
本発明の一実施形態によると、ベース基板ＢＳは、複数の画素電極（図示しない）と、画素電極と一対一対応して電気的に接続された複数の薄膜トランジスタ（図示しない）とを含む。
各薄膜トランジスタは、対応する画素電極側に提供される駆動信号をスイッチングする。
また、対向基板ＣＳは、画素電極と共に晶の配列を制御する電界を形成する共通電極（図示しない）を含む。表示パネルＰＮＬは、液晶層を駆動して前方に画像を表示する役割を果たす。
【００１８】
表示パネルＰＮＬには、駆動信号を提供する駆動チップＣＨと、駆動チップＣＨが実装されているテープキャリアパッケージ（Ｔａｐｅ  Ｃａｒｒｉｅｒ  Ｐａｃｋａｇｅ；ＴＣＰ）と、ＴＣＰを通じて表示パネルＰＮＬと電気的に接続される印刷回路基板ＰＣＢとが提供される。
【００１９】
図１において、印刷回路基板ＰＣＢは、表示パネルＰＮＬと同一平面上に示しているが、表示装置の構造によって様々な位置に配置することができる。
例えば、印刷回路基板ＰＣＢは、後述のボトムシャーシＢＣの外部面に配置することができ、この時、テープキャリアパッケージＴＣＰが、ボトムシャーシＢＣの外部面に沿って曲げられて表示パネルＰＮＬと印刷回路基板ＰＣＢとを連結することができる。
【００２０】
一方、駆動チップＣＨは、外部信号に応答して表示パネルＰＮＬを駆動するための駆動信号を発生する。
外部信号は、印刷回路基板ＰＣＢから供給された信号であり、外部信号は、画像信号、各種の制御信号、及び駆動電圧などを含む。
【００２１】
バックライトユニットＢＬＵは、表示パネルＰＮＬに光を提供するためのものであり、表示パネルＰＮＬの下部に位置している。
バックライトユニットは、表示パネルＰＮＬを支持するモールドフレームＭＦと、光を出射する光源が含まれた光源部と、光の効率を高めるための光学シートＯＰＳと、光の進行方向を変更するための反射シートと、表示パネルＰＮＬ、モールドフレームＭＦ、光源部、光学シートＯＰＳ、及び反射シートを収納するボトムシャーシＢＣとを含む。
【００２２】
モールドフレームＭＦは、表示パネルＰＮＬの縁に沿って提供され、表示パネルＰＮＬの下部で表示パネルＰＮＬを支持する。
モールドフレームＭＦは、表示パネルＰＮＬ以外の構成要素、例えば、光源部、光学シートＯＰＳなどを固定、又は支持する固定部材、例えば、フック（図示しない）を有することができる。
モールドフレームＭＦは、表示パネルＰＮＬの四辺に対応する位置、又は四辺の少なくとも一部に対応する位置に提供することができる。
【００２３】
例えば、モールドフレームＭＦは、表示パネルＰＮＬの四辺に対応する四角のリング形状、又は、表示パネルＰＮＬの縁部のうち三辺に対応する「Ｕ」字形状を有することができる。
モールドフレームＭＦは、単一個数の一体で形成できるが、必要によって、複数個で形成して組み立ててもよい。モールドフレームＭＦは、ポリマー樹脂のような有機材料からなることができる。しかし、これに限定されず、同じ形状と機能を有するなら、他の材料で構成してもよい。
【００２４】
光源部は、表示パネルに光を提供するためのものであり、複数の光源ブロック（ＬＢ１、ＬＢ２）と、光源ブロック（ＬＢ１、ＬＢ２）を制御する光源部制御ユニット（図示しない）とを含む。
【００２５】
各光源ブロック（ＬＢ１、ＬＢ２）は、複数の光源ＬＳと、光源ＬＳを支持する支持部（ＳＰ１、ＳＰ２）とを含む。
支持部ＳＰ１、ＳＰ２は、光源ＬＳに電源を供給して制御する配線が印刷された回路基板になることができ、一方向に長く延長された長方形の板状になることができる。
【００２６】
光源ＬＳは、点光源、線光源、又は面光源など多様に使用することができ、これに限定されない。
本発明の実施形態では、一例として、ＬＥＤ（ｌｉｇｈｔ  ｅｍｉｔｔｉｎｇ  ｄｉｏｄｅ）を点光源として使用したものを示した。ＬＥＤは複数個提供され、支持部（ＳＰ１、ＳＰ２）上に所定の方向に沿って一列に配置される。
【００２７】
ここで、光源とは、同じ電源ラインに接続されてオン／オフが単一に駆動される光源ユニットを意味するものであり、個別に出射される光量が調節される最小単位の発光素子を意味する。
したがって、１つの光源は文字の通り、１つの光源、例えば、１つのＬＥＤを含むことができるが、同時に明るさが調節される「ｎ」個の光源（ｎは自然数）からなる複数の光源グループ、例えば、複数のＬＥＤを含むことができる。
【００２８】
本発明の一実施形態では、光源ブロック（ＬＢ１、ＬＢ２）が、支持部（ＳＰ１、ＳＰ２）と複数の光源ＬＳからなることを示したが、これに限定されない。すなわち、支持部（ＳＰ１、ＳＰ２）は省略可能であり、支持部（ＳＰ１、ＳＰ２）が省略される場合には、光源ＬＳを支持する別途の支持部材及び／又は光源に電源を供給する別途の配線を備えることができる。
【００２９】
光源部の制御ユニットは、光源に接続され、表示パネルＰＮＬで表示される画像を分析してローカルディミング（ｌｏｃａｌ  ｄｉｍｍｉｎｇ）信号を出力し、ローカルディミング信号に応答して光源の各々の輝度を個別制御する。
光源部制御ユニットは、図に示していないが、別途の印刷回路基板に実装することができる。しかし、これに限定されず、支持部（ＳＰ１、ＳＰ２）に備えることができる。
光源部は図３を参照して後述する。
【００３０】
光学シートＯＰＳは、光源ブロック（ＬＢ１、ＬＢ２）と表示パネルＰＮＬとの間に提供される。
光学シートＯＰＳは、光源ＬＳから出射された光を制御する役割を果たす。光学シートＯＰＳは、光源ブロック（ＬＢ１、ＬＢ２）上に積層された拡散シートＤＳと、プリズムシートＰＳと、保護シートＰＲＳとを含むことができる。
【００３１】
拡散シートＤＳは光を拡散させる。
プリズムシートＰＳは、拡散シートＤＳで拡散された光を上部の表示パネルＰＮＬの平面と垂直な方向に集光する役割を果たす。
プリズムシートＰＳを通過した光は、殆ど表示パネルＰＮＬに対し垂直に入射される。
保護シートＰＲＳは、プリズムシートＰＳ上に位置している。
保護シートＰＲＳは、プリズムシートＰＳを外部からの衝撃等から保護する。
【００３２】
本実施形態において、光学シートＯＰＳは、拡散シートＤＳ、プリズムシートＰＳ、及び保護シートＰＲＳを一枚ずつ備えるが、これに限定されない。
例えば、光学シートＯＰＳは、拡散シートＤＳ、プリズムシートＰＳ、及び保護シートＰＲＳのうちの少なくともいずれか１つを複数枚重ねて使用することができ、必要に応じて、いずれか１つ以上のシートの省略も可能である。
また、拡散シートＤＳ、プリズムシートＰＳ、及び保護シートＰＲＳは、順序を変えて積層することもできる。
【００３３】
反射シートＲＳは、表示パネルＰＮＬの方向に提供されず、漏れ光を反射させて表示パネルＰＮＬの方向に光の経路を変更させるためのものであり、光源部の下部に備えられる。
反射シートＲＳは、ボトムシャーシＢＣ上に備えられて、光を反射させる。その結果、反射シートＲＳによって、表示パネルＰＮＬ側に提供される光の量が増加する。
反射シートＲＳは、底部ＢＰと、底部ＢＰに接続され、上方に折り曲げられた側面部ＷＰとを含む。
【００３４】
底部ＢＰは、表示パネルＰＮＬの下面に対し平行な板状からなり、表示パネルＰＮＬの表示領域ＤＡより小さい面積を有し、底部ＢＰは、表示領域ＤＡの長辺と短辺に対応する長辺と短辺とを有する長方形からなる。
ここで、底部ＢＰは、平面上で見る時に、表示領域ＤＡ内に位置している。
【００３５】
側面部ＷＰは、底部ＢＰから上方に曲げられている。
側面部ＷＰは、平面上から見る時、表示パネルＰＮＬの表示領域ＤＡ内で、底部ＢＰの周囲に沿って提供される。
側面部ＷＰは、底部ＢＰの延長面に対して所定の角度を有して傾斜に提供される。
この時、側面部ＷＰと、底部ＢＰの延長面に対する角度（以下、傾斜角）は、０°より大きく、９０°よりは小さい値を有する。
側面部ＷＰは、光源部から出射された光が表示パネルＰＮＬの下面と平行な方向に進行する場合、光を表示パネルＰＮＬの方向に反射する。
【００３６】
ボトムシャーシＢＣは、バックライトユニットの下部に位置し、バックライトユニットの構成要素を収納する。
ボトムシャーシＢＣは、反射シートＲＳの形状に沿って形成され、この場合、ボトムシャーシＢＣは、反射シートＲＳの側面部ＷＰに沿って底部ＢＰの延長面に対して傾く。
【００３７】
トップシャーシＴＣは、表示パネルＰＮＬの上部に位置している。
トップシャーシＴＣは、表示パネルＰＮＬの前面の縁部を支持し、モールドフレームＭＦの側面又はボトムシャーシＢＣの側面をカバーすることができる。
トップシャーシＴＣには、表示パネルＰＮＬの表示領域ＤＡを露出させる表示窓ＷＤが形成されている。
以下、バックライトユニットにおいて、光源部と反射シートについて詳細に説明する。
【００３８】
図３は、本発明の一実施形態による表示装置における光源部と反射シートとを示す平面図である。
図１〜図３を参照すると、本発明の一実施形態によると、光源部は、複数の光源ブロック（ＬＢ１、ＬＢ２）を含む。
【００３９】
光源ブロック（ＬＢ１、ＬＢ２）は、光源ＬＳが互いに異なる間隔に配列された第１光源ブロックＬＢ１と第２光源ブロックＬＳ２とを含む。
第１光源ブロックＬＢ１と第２光源ブロックＬＢ２の内の少なくとも１つは、複数で提供され、第１光源ブロックＬＢ１と第２光源ブロックＬＢ２は、交互に配置される。
本実施形態では、２つの第１光源ブロックＬＢ１と１つの第２光源ブロックＬＢ２が具備された表示装置を一例として示したが、これに限定されず、表示パネルＰＮＬのサイズ、長辺及び短辺の長さ比などに応じて、本実施形態より多い第１及び第２光源ブロック（ＬＢ１、ＬＢ２）を提供することができる。
【００４０】
各第１光源ブロックＬＢ１は、長辺方向に延長される。
各第１光源ブロックＬＢ１は、長辺の延長方向に第１間隔を有するように配置された光源ＬＳと、光源ＬＳを支持する第１支持部ＳＰ１とを含む。
短辺の延長方向を第１方向Ｄ１、第１方向Ｄ１と直交する長辺の延長方向を第２方向Ｄ２とすれば、光源ＬＳは、第２方向Ｄ２に沿って配列されている。
本実施形態において、各第１光源ブロックＬＢ１は、７つの光源を有するように表示しているが、より多く、又はより少ない数の光源を含むことができる。
【００４１】
各第１光源ブロックＬＢ１の光源において、互いに隣接した光源ＬＳ間の間隔、すなわち、第１間隔は互いに異なる値を有する。
例えば、第１間隔は、第１光源ブロックＬＢ１の長さ方向の中心部から端部に行くほど減少する。
この際、光源ＬＳは、第１光源ブロックＬＢ１の長さ方向の中心部に対して対称的に配置することができる。
【００４２】
図３において、第１光源ブロックＬＢ１の中心から互いに隣接した光源ＬＳ間の第１間隔を順次に、Ｘ１１、Ｘ１２、及びＸ１３とすれば、Ｘ１１＞Ｘ１２＞Ｘ１３になる。
例えば、表示領域ＤＡの対角線の長さが３２インチの場合、Ｘ１１は、約９５〜９８ｍｍ、Ｘ１２は９０〜９４ｍｍ、Ｘ１３は８５〜８８ｍｍになることができる。
ここで、互いに隣接した光源ＬＳ間の第１間隔は、一定の比率によって、一定に減少することができるが、これに限定されない。
【００４３】
第２光源ブロックＬＢ２は、第２方向Ｄ２に、第２間隔を有するように配置された光源ＬＳと、光源ＬＳを支持する第２支持部ＳＰ２とを含む。
第２光源ブロックＬＢ２は、第１光源ブロックＬＢ１の光源ＬＳの数と同一、又は互いに異なることができ、本実施形態では、第１光源ブロックＬＢ１の光源ＬＳの数より１つ少ない６つの光源ＬＳを有する。
第２光源ブロックＬＢ２の光源において、互いに隣接した光源ＬＳ間の間隔、すなわち、第２間隔は互いに異なる値を有する。
例えば、第２間隔は、第２光源ブロックＬＢ２の長さ方向の中心部から端部に行くほど増加する。
この際、光源ＬＳは、第２光源ブロックＬＢ２の長さ方向の中心部に対して対称的に配置することができる。
【００４４】
図３において、第２光源ブロックＬＢ２の中心から互いに隣接した光源ＬＳ間の第２間隔を順次に、Ｘ２１、Ｘ２２、及びＸ２３とすれば、Ｘ２１＜Ｘ２２＜Ｘ２３になる。
ここで、互いに隣接した光源ＬＢ間の間隔も一定の比率によって一定に増加することができるが、これに限定されない。
例えば、第２間隔は、中心部から増加するが、増加比が一定ではないこともある。例えば、表示領域ＤＡの対角線の長さが３２インチの場合、Ｘ２１は、約９５〜９８ｍｍ、Ｘ２２は、１０３〜１０６ｍｍ、Ｘ２３は、１１１〜１１５ｍｍになることができる。
【００４５】
第１光源ブロックＬＢ１と第２光源ブロックＬＢ２は、第２方向Ｄ２に沿って平行に配置される。
ここで、第１光源ブロックＬＢ１は、第２光源ブロックＬＢ２より数が１つ多く、第１光源ブロックＬＢ１は、第１方向Ｄ１に沿って奇数番目の列に、第２光源ブロックＬＢ２は、偶数番目の列に配置される。
すなわち、第１方向Ｄ１に沿って、第１光源ブロックＬＢ１、第２光源ブロックＬＢ２、及び第１光源ブロックＬＢ１の順に配列される。
これによって、最も外側の光源ブロック、すなわち、光源ブロックのうち最初の列と最後の列の光源ブロックは、第１光源ブロックＬＢ１に該当するようになる。
【００４６】
互いに隣接した第１光源ブロックＬＢ１と第２光源ブロックＬＢ２において、光源ＬＳは、第１方向Ｄ１に沿った方向から、すなわち、長側辺に直交する側面方向から見る時、互いに重畳しないように交互に配列される。
これによって、第１光源ブロックＬＢ１の互いに隣接した二つの光源ＬＳと、二つの光源ＬＳから最も近い第２光源ブロックＬＢ２の１つの光源ＬＳは、鋭角のみからなる三角形を形成する。
その結果、第２光源ブロックＬＢ２の１つの光源を中心にして、第１及び第２光源ブロック（ＬＢ１、ＬＢ２）の光源が６つ配置されてハニカム構造を形成する。
【００４７】
又は、第１光源ブロックＬＢ１と第２光源ブロックＬＢ２が、より多い数で配置される場合に、第１光源ブロックＬＢ１の光源を中心にして、隣接した光源ＬＳがハニカム構造を形成する。
ここで、第１間隔と第２間隔が互いに異なる値を有するため、各光源が作るハニカム形状は同一ではなく、ハニカム形状を形成する光源ＬＳの位置によって、少なくとも一部のハニカム形状と面積は変わることができる。
この時、表示領域ＤＡの対角線の長さが３２インチの場合、互いに隣接した第１光源ブロックＬＢ１と第２光源ブロックＬＢ２との間の第１方向Ｄ１に沿った間隔は約１１０ｍｍ〜１１５ｍｍになることができる。
【００４８】
光源部の第１及び第２光源ブロック（ＬＢ１、ＬＢ２）は、反射シートＲＳの底部ＢＰ内に位置している。
反射シートＲＳの側面部ＷＰは、底部ＢＰの延長面に対して所定の角度に傾き、側面部ＷＰと底部ＢＰの延長面に対する傾斜角は０°より大きく、９０°よりは小さい値を有する。
本実施形態において、側面部ＷＰは、約２５°〜約３５°の傾斜角を有する。
【００４９】
側面部ＷＰのうち長側面部ＬＳＷと短側面部ＳＳＷの傾斜角は互いに異なり、光源ブロックにおける光源の数や配置の位置によって異なる傾斜角を有することができる。
例えば、本発明の一実施形態において、表示領域の対角線の長さが３２インチの場合は、長側面部ＬＳＷの傾斜角は約２７°〜約３２°になり、短側面部ＳＳＷの傾斜角は約３０°〜約３６°になることができる。
【００５０】
ここで、長側面部ＬＳＷの傾斜角は、短側面部ＳＳＷの傾斜角より小さいことがある。
長側面部ＬＳＷの傾斜角と、短側面部ＳＳＷの傾斜角は、表示パネルの大きさ、光源ブロックの数、及び光源ブロックの光源の数によって異なる値に設定することができる。
例えば、２つの表示装置において、表示パネルのサイズが同一である時、光源の数が小さい表示パネルにおける長側面部ＬＳＷの傾斜角がさらに大きい。
【００５１】
長側面部ＬＳＷと、短側面部ＳＳＷの傾斜角の差によって、長側面部ＬＳＷの幅Ｗ１と、短側面部ＳＳＷの幅Ｗ２も互いに異なる値を有する。
例えば、図とは異なり、長側面部ＬＳＷの第１方向Ｄ１の幅Ｗ１が、短側面部ＳＳＷの第２方向Ｄ２の幅Ｗ２より大きいこともあり得る。
【００５２】
光源において、平面上から見る時、表示パネルの角部から最も近い光源（図面上で第１光源ブロックＬＢ１の端部の光源ＬＳ）は、長側面部ＬＳＷと短側面部ＳＳＷが接する線の延長線上に位置することができる。
もし、光源が長側面部ＬＳＷと短側面部ＳＳＷが接する線上から逸脱する場合、長側面部ＬＳＷと短側面部ＳＳＷの内のいずれか一側面部ＷＰによる反射が増大される。
【００５３】
表示領域ＤＡを規定する４辺の各交点（ｖｅｒｔｅｘ）と表示パネル角部に最も近い各光源との間隔において、光源ＬＳが上記交点から過度に遠い場合、側面部に十分な量の光が提供されなくて暗点が現れ、過度に近い場合、逆に輝点が現れる。
これによって、本実施形態では、光源ＬＳは、長側面部ＬＳＷと短側面部ＳＳＷから所定の距離に離隔されている。
【００５４】
例えば、表示領域ＤＡの対角線の長さが３２インチの場合、表示領域ＤＡの前記交点に最も近い各光源ＬＳから長側面部ＬＳＷまでの最短距離（Ｐ１）は３１ｍｍ〜３３ｍｍになり、短側面部ＳＳＷまでの最短距離（Ｐ２）は３０ｍｍ〜３２ｍｍになることができる。
また、前記各交点に最も近い各光源ＬＳから長側面部ＬＳＷの外辺までの最短距離（Ｑ１）は８４ｍｍ〜８７ｍｍになり、短側面部ＳＳＷの外辺までの最短距離（Ｑ２）は７４ｍｍ〜７６ｍｍ、又は８４ｍｍ〜８６ｍｍになることができる。
※（「ｖｅｒｔｅｘ」は何を意味するのか？表示領域ＤＡは平面であるので頂点はないと考え、表示領域ＤＡ（又は表示パネル）を規定する４つの辺のそれぞれの「交点」を意味するのか？Ｐ１、Ｐ２、Ｑ１、Ｑ２は上記でいいのか？回答をお願いします。）
【００５５】
本実施形態によれば、最も外側の両側に配置された第１光源ブロックＬＢ１は、各第１光源ブロックＬＢ１の中心部から離れるほど、第１間隔の距離が減るので、反射シートＲＳの側面部ＷＰ側に提供される光量が増える。
これによって、反射シートＲＳの側面部ＷＰに光源が配置されていないが、光源から出射された光のみを反射させることによって、本実施形態では、側面部ＷＰによって表示パネルＰＮＬに提供される光量が調節されて、表示領域ＤＡでの輝度の均一性を高める。
【００５６】
また、第１間隔によって第１光源ブロックＬＢ１の中心部に行くほど光量が減るが、一方、各第２光源ブロックＬＢ２の光源ＬＳは、各第２光源ブロックＬＢ２の中心部に近いほど第２間隔の距離が減少するので、第１光源ブロックＬＢ１の光源ＬＳによって発生する不均一な光密度を補償する。
すなわち、第１間隔と第２間隔が各光源ブロックＬＢ１、ＬＢ２の中心から変化した値を有することによって、表示パネルＰＮＬに提供される光の均一度が向上する。
一方、光源ＬＳの各々は独立して駆動されて、ローカルディミングを実現することができる。
【００５７】
図４Ａ、図４Ｂは、一般的な表示装置での輝度シミュレーショングラフであり、図４Ｃは、本発明の一実施形態に係る表示装置における輝度シミュレーショングラフである。
光源の配列を除いてはすべての条件は同一である。
【００５８】
ここで、図４Ａは、光源が格子状に配列されたものであり、光源が第１方向と第２方向に等間隔に配置されている。
図４Ｂは、光源が第１方向と第２方向に等間隔に配列されているが、光源が交互に配置されてハニカム状を形成している。図４Ｂでの光源は、ハニカム構造であり、この時のハニカム状は形状と面積が同一である。
図４Ｃは、本発明の一実施形態によって光源が配置されており、光源が第２方向に互いに異なる間隔を有するように配置されている。ここで、光源は、ハニカム状からなるが、ハニカム状の少なくとも一部は異なる形態と面積を有する。
【００５９】
図４Ａを参照すると、光源が格子状に配列された場合、反射シートの底部に対応する表示領域部分と側面部に対応する表示領域部分との輝度差が大きい。また、底部に対応する表示領域部分においても、ユーザが光源を視認する程度に、光源が配置されているところと、配置されていないところとの輝度差が大きい。
図４Ｂを参照すると、光源がハニカム構造に配列された場合には、反射シートの底部に対応する表示領域部分と側面部に対応する表示領域部分との輝度差が、格子構造に配列された場合より小さくなる。
しかし、底部に対応する表示領域部分において、規則的に配列された光源をユーザが視認する程度に、光源が配置されているところと、配置されていないところとの輝度差が現れていることが分かる。
【００６０】
図４Ｃを参照すると、反射シートの底部に対応する表示領域部分と側面部に対応する表示領域部分との輝度差が図４Ａの格子構造に配列された場合、及び図４Ｂの等間隔ハニカム構造を有する場合より小さくなり、光源が配列された様子がユーザに視認されず、全体的に均一な輝度を示していることが分かる。
【００６１】
図５Ａは、一般的な表示装置におけるバックライトユニットの外観を撮影した写真であり、図５Ｂは、本発明の一実施形態による表示装置におけるバックライトユニットの外観を撮影した写真である。
図５Ａと図５Ｂにおいて、光源の配列を除いてはすべての条件は同一である。
ここで、図５Ａは、光源が格子状に配列されたバックライトユニットを撮影した場合であり、図５Ｂは、本発明の一実施形態によって光源が第２方向に互いに異なる間隔を有するように配列されたバックライトユニットを撮影した場合である。
【００６２】
図５Ａと図５Ｂを参照すると、一般的な表示装置のバックライトユニットは、表示領域の中心部分とエッジ部分との輝度差が大きく、中心部でも光源の配列の位置によって輝部と暗部が視認される。
一方、本発明の一実施形態による表示装置のバックライトユニットは、全体の表示領域が均一な輝度を有することが分かる。
【００６３】
図６は、本発明の一実施形態による表示装置において、光源部と反射シートとを示す平面図である。
光源部の光源ブロックにおける光源の間の間隔を異なって配列した。
以下、本実施形態では、説明の便宜上、図３に示した実施形態と異なる点を中心として説明し、説明しない部分は、上述の実施形態による。
【００６４】
図１、図２、及び図６を参照すると、光源ブロックは、光源が互いに異なる間隔に配列された第１光源ブロックＬＢ１と第２光源ブロックＬＢ２とを含む。
第１光源ブロックＬＢ１と第２光源ブロックＬＢ２は、すべて複数で提供され、第１光源ブロックＬＢ１と第２光源ブロックＬＢ２は、互いに交互に配置されている。
本実施形態では、３つの第１光源ブロックＬＢ１と２つの第２光源ブロックＬＢ２が備えられている。しかし、これに限定されず、表示パネルのサイズや長辺及び短辺の長さ比などによって、本実施形態より多い第１及び第２光源ブロックを提供することもできる。
【００６５】
第１及び第２光源ブロック（ＬＢ１、ＬＢ２）は、各々複数の光源を含む。
各第１光源ブロックＬＢ１は、表示領域の長辺方向、すなわち、第２方向Ｄ２に延長され、第２方向Ｄ２に第１間隔を有するように配列された光源ＬＳと、光源ＬＳを支持する第１支持部ＳＰ１とを含む。
本実施形態において、一例として第１光源ブロックＬＢ１は９つの光源を有すると示したが、より多く、又はより少ない数の光源を含むこともできる。
【００６６】
第１光源ブロックＬＢ１の光源において、第１間隔は互いに異なる値を有する。
例えば、第１間隔は、第１光源ブロックＬＢ１の長さ方向の中央部から端部に行くほど増加する。
図６において、第１光源ブロックＬＢ１の中心から順次に光源ＬＳの間の間隔を、Ｘ１１、Ｘ１２、Ｘ１３、及びＸ１４とすれば、Ｘ１１＜Ｘ１２＜Ｘ１３＜Ｘ１４になる。
【００６７】
例えば、表示領域の対角線の長さが４０インチの場合、Ｘ１１は約７９〜８１ｍｍ、Ｘ１２は９５〜９７ｍｍ、Ｘ１３は９７〜９９ｍｍ、Ｘ１４は、１０１〜１０３ｍｍになることができる。ここで、第１間隔は、一定の比率によって一定に増加することができるが、これに限定されない。例えば、第１間隔は、中心部から増加するが、増加比が一定ではないこともある。
【００６８】
第２光源ブロックＬＢ２は、第２方向Ｄ２に第２間隔を有するように配置された光源ＬＳと、前記光源ＬＳを支持する第２支持部ＳＰ２とを含む。
第２光源ブロックＬＢ２は、第１光源ブロックＬＢ１の光源の数と同一、又は互いに異り、本実施形態では、第１光源ブロックＬＢ１の光源の数より１つが少ない８つの光源を有する。
【００６９】
第２光源ブロックＬＢ２の光源において、互いに隣接した光源ＬＳの間の間隔は互いに異なる値を有する。
第２間隔は、第２光源ブロックＬＢ２の長さ方向の中心部から端部に行くほど増加する。
図６において、第２光源ブロックＬＢ２の中心から順次に第２間隔を、Ｘ２１、Ｘ２２、Ｘ２３、及びＸ２４とすれば、Ｘ２１＜Ｘ２２＜Ｘ２３＜Ｘ２４になる。
【００７０】
ここで、第２間隔は、一定の比率によって一定に増加することができるが、これに限定されない。例えば、第２間隔は、中心部から増加するが、増加比が一定ではないこともある。
表示領域ＤＡの対角線の長さが４０インチの場合、Ｘ２１は約９７〜９９ｍｍ、Ｘ２２は１００〜１０２ｍｍ、Ｘ２３は、１０３〜１０５ｍｍ、Ｘ２４は、１０７〜１０９ｍｍになることができる。
【００７１】
第１光源ブロックＬＢ１と第２光源ブロックＬＢ２は、第１方向Ｄ１に沿って平行に配置されている。
ここで、第１光源ブロックＬＢ１と第２光源ブロックＬＢ２が交互に位置している。互いに隣接した第１光源ブロックＬＢ１と第２光源ブロックＬＢ２において、光源ＬＳは、第１方向Ｄ１に沿った側方から、すなわち、長側辺と直角な方向から見る時に、互いに重畳しないように交互に配列されている。
【００７２】
これによって、第１光源ブロックＬＢ１の互いに隣接した二つの光源ＬＳと、二つの光源ＬＳから最も近い第２光源ブロックＬＢ２の１つの光源ＬＳは、鋭角のみからなる三角形を形成し、その結果、第２光源ブロックＬＢ２の１つの光源を中心にして、第１及び第２光源ブロック（ＬＢ１、ＬＢ２）の光源が６つ配置されたハニカム構造になる。
【００７３】
又は、第１光源ブロックＬＢ１の光源ＬＳを中心にして、隣接した第１及び第２光源ブロック（ＬＢ１、ＬＢ２）の光源ＬＳがハニカム構造になる。
ここで、第１間隔と第２間隔が互いに異なる値を有するので、各光源が作るハニカム形状は同じ形状ではなく、ハニカム形状を形成する光源ＬＳの位置によって、少なくとも一部のハニカム形状の形状と面積は変わることができる。
【００７４】
ここで、第１方向Ｄ１に沿って互いに隣接した第１光源ブロックＬＢ１と第２光源ブロックＬＢ２との間の距離は、互いに異なる値を有することができる。
図６において、互いに隣接した第１光源ブロックＬＢ１と第２光源ブロックのＬＢ２との間の距離を順次、Ｙ１、Ｙ２、Ｙ３、Ｙ４とすれば、Ｙ１、Ｙ２、Ｙ３、Ｙ４は互いに異なる値を有することができる。
本実施形態では、Ｙ１とＹ４が同一の値を有し、Ｙ２とＹ３が同一の値として、Ｙ１より小さい値を有する。例えば、表示領域の対角線の長さが４０インチの場合、Ｙ１は、９８〜１０２ｍｍになり、Ｙ２は８４〜８８ｍｍになることができる。
【００７５】
反射シートＲＳは、光源部が安着する底部ＢＰと、底部ＢＰを囲む側面部ＷＰとを含む。
側面部ＷＰは、底部ＢＰの延長面に対して所定の角度に傾く。この時、側面部ＷＰと、底部ＢＰの延長面に対する角度（以下、傾斜角と言う）は、０°より大きく、９０°より小さい値を有する。
本実施形態において、側面部ＷＰは、約２５°〜約３５°の傾斜角を有することができ、本実施形態において、表示領域ＤＡの対角線の長さが４０インチの場合、長側面部ＬＳＷの傾斜角は２７°〜２９°になり、短側面部ＳＳＷの傾斜角は３０°〜３２°になることができる。
【００７６】
本実施形態において、表示領域ＤＡを規定する４辺の各交点に最も近い光源ＬＳにおいて、表示領域ＤＡの対角線の長さが４０インチの場合、長側面部ＬＳＷまでの最短距離（Ｐ１）は１８ｍｍ〜２０ｍｍになり、短側面部ＳＳＷまでの最短距離（Ｐ２）は３０ｍｍ〜３２ｍｍになることができる。
また、前記各交点から最も近い光源ＬＳから長側面部ＬＳＷの外辺までの最短距離（Ｑ１）は６０ｍｍ〜６２ｍｍになり、短側面部ＳＳＷの外辺までの最短距離（Ｑ２）は６８ｍｍ〜７０ｍｍ、又は８２ｍｍ〜８５ｍｍになることができる。
※（「頂点」は、表示領域、表示パネルを規定する４つの辺のそれぞれの「交点」でいいのか？Ｐ１、Ｐ２、Ｑ１、Ｑ２は上記でいいのか？指示をお願いします。）
【００７７】
本実施形態によると、最も外側の両側に配置された第１光源ブロックＬＢ１は、各第１光源ブロックＬＢ１の中心部から離れるほど、光源ＬＳの間の間隔が増加する。
それにもかかわらず、反射シートＲＳの側面部ＷＰの傾斜角が大きく、側面部ＷＰと光源との間隔が狭くて、側面部ＷＰ側で反射されて、表示パネルＰＮＬの方向に進行する光量が十分に多くなる。
これによって、光源ブロックの中心部での光量を相対的に高めるために、光源ＬＳの間の間隔を狭く設定することができる。これによって、全表示領域ＤＡについて底部ＢＰと側面部ＷＰに対応する表示領域ＤＡでの光密度が均一になる。
また、第１間隔と第２間隔が各光源ブロックの中心から変化した値を有することによって、表示パネルＰＮＬに提供される光の均一性が向上する。
【００７８】
尚、本発明は、上述の実施形態に限られるものではない。本発明の技術的範囲から逸脱しない範囲内で多様に変更実施することが可能である。
【符号の説明】
【００７９】
ＢＣ    ボトムシャーシ
ＢＬＵ    バックライトユニット
ＢＰ    底部
ＢＳ    ベース基板
ＣＨ    駆動チップ
ＣＳ    対向基板
ＤＡ    表示領域
ＤＳ    拡散シート
ＬＢ１、ＬＢ２    （第１、第２）光源ブロック
ＬＳ    光源
ＬＳＷ    長側面部
ＭＦ    モールドフレーム
ＮＤＡ    非表示領域
ＯＰＳ    光学シート
ＰＣＢ    印刷回路基板
ＰＮＬ    表示パネル
ＰＲＳ    保護シート
ＰＳ    プリズムシート
ＲＳ    反射シート
ＳＰ１、ＳＰ２    （第１、第２）支持部
ＳＳＷ    短側面部
ＴＣ    トップシャーシ
ＴＣＰ    テープキャリアパッケージ
ＷＤ    表示窓
ＷＰ    側面部
【図１】
2014106528.tif 000003
【図２】
2014106528.tif 000004
【図３】
2014106528.tif 000005
【図４Ａ】
2014106528.tif 000006
【図４Ｂ】
2014106528.tif 000007
【図４Ｃ】
2014106528.tif 000008
【図５Ａ】
2014106528.tif 000009
【図５Ｂ】
2014106528.tif 000010
【図６】
2014106528.tif 000011